(57)【要約】【課題】配電盤の重量増加を抑え、かつ、高い密閉性を得ることができる配電盤のパネル構造を提供すること。【解決手段】側辺部２ａ，２ｂの外縁部が内側に向けてＬ字状に折り曲げられた第１の折り曲げ部２１ａを有した矩形の外側フレーム２１と、側辺部２ａ，２ｂが内側に向けてＬ字状に折り曲げられた第２の折り曲げ部２２ａを有し、第２の折り曲げ部２２ａの表面が第１の折り曲げ部２１ａの裏面に密着する矩形の内側フレーム２２と、外側フレーム２１と内側フレーム２２とで挟まれた領域に周縁部が差し込まれた平板３と、外側フレーム２１と平板３との間を密閉する密閉部材３１と、を備える。【選択図】図２
2017108548.tif 000002
【特許請求の範囲】
【請求項１】
少なくとも両側辺部の外縁部が内側に向けてＬ字状に折り曲げられた第１の折り曲げ部を有した矩形の外側フレームと、
少なくとも両側辺部が内側に向けてＬ字状に折り曲げられた第２の折り曲げ部を有し、前記第２の折り曲げ部の表面が前記第１の折り曲げ部の裏面に密着する矩形の内側フレームと、
前記外側フレームと前記内側フレームとで挟まれた領域に周縁部が差し込まれた平板と、
前記外側フレームと前記平板との間を密閉する密閉部材と、
を備えたことを特徴とする配電盤のパネル構造。
【請求項２】
前記密閉部材は、さらに前記内側フレームと前記平板との間に設けられることを特徴とする請求項１に記載の配電盤のパネル構造。
【請求項３】
前記外側フレームの上辺部の外縁部および下辺部の外縁部が内側に向けてＬ字状に折り曲げられ、
前記内側フレームの上辺部の外縁部および下辺部の外縁部が内側に向けてＬ字状に折り曲げられたことを特徴とする請求項１または２に記載の配電盤のパネル構造。
【請求項４】
前記外側フレームおよび前記内側フレームは、金属部材であることを特徴とする請求項１〜３のいずれか一つに記載の配電盤のパネル構造。
【発明の詳細な説明】
【技術分野】
【０００１】
本発明は、配電盤の重量増加を抑え、かつ、高い密閉性を得ることができる配電盤のパネル構造に関する。
【背景技術】
【０００２】
受変電設備等で用いられる配電盤は、盤の製作コスト低減や軽量化を目的として、薄板鋼板の辺部をＬ字型に折り曲げ加工を施した側板パネル、底板パネル、天井板パネルを組み合わせ、パネルの相互間をねじ締結、もしくはリベット止めによって組み立てるものがある。
【０００３】
一方、特許文献１には、板状の扉本体と、板状の扉本体の周囲に取り付けた枠体とで構成される扉構造が記載され、枠体が、扉本体の周縁部の内面を抑える内側枠体と、扉本体の周縁部の外側面に当接して内側枠体との間で扉本体の周縁部を挟着する外側枠体とで構成されている。この扉構造は、内側枠体と外側枠体とで扉本体の周縁部を挟んで扉本体の周縁部を補強することができ、板状の扉本体自体が薄くて撓みやすいものであっても枠体で扉本体の撓み等を防止するようにしている。
【先行技術文献】
【特許文献】
【０００４】
【特許文献１】特開２０１３−１０２６２０号公報
【発明の概要】
【発明が解決しようとする課題】
【０００５】
ところで、配電盤内において短絡故障などが発生した場合、アークガスによって内部圧力が上昇する。このとき、平板パネルをリベットなどによって締結した組立方式の配電盤では、平板パネルの変形による荷重が、リベットやねじ等の締結部分に集中し、高温のアークガスの漏洩、もしくは配電盤の筐体の破損が発生する場合がある。配電盤の強度を高くするためには、平板パネルを厚くする方法が考えられるが、この方法では、配電盤の重量増加やコスト増加を招くことになる。
【０００６】
本発明は、上記に鑑みてなされたものであって、配電盤の重量増加を抑え、かつ、高い密閉性を得ることができる配電盤のパネル構造を提供することを目的とする。
【課題を解決するための手段】
【０００７】
上述した課題を解決し、目的を達成するために、本発明にかかる配電盤のパネル構造は、少なくとも両側辺部の外縁部が内側に向けてＬ字状に折り曲げられた第１の折り曲げ部を有した矩形の外側フレームと、少なくとも両側辺部が内側に向けてＬ字状に折り曲げられた第２の折り曲げ部を有し、前記第２の折り曲げ部の表面が前記第１の折り曲げ部の裏面に密着する矩形の内側フレームと、前記外側フレームと前記内側フレームとで挟まれた領域に周縁部が差し込まれた平板と、前記外側フレームと前記平板との間を密閉する密閉部材と、を備えたことを特徴とする。
【０００８】
また、本発明にかかる配電盤のパネル構造は、上記の発明において、前記密閉部材は、さらに前記内側フレームと前記平板との間に設けられることを特徴とする。
【０００９】
また、本発明にかかる配電盤のパネル構造は、上記の発明において、前記外側フレームの上辺部の外縁部および下辺部の外縁部が内側に向けてＬ字状に折り曲げられ、前記内側フレームの上辺部の外縁部および下辺部の外縁部が内側に向けてＬ字状に折り曲げられたことを特徴とする。
【００１０】
また、本発明にかかる配電盤のパネル構造は、上記の発明において、前記外側フレームおよび前記内側フレームは、金属部材であることを特徴とする。
【発明の効果】
【００１１】
本発明によれば、平板が外側フレームと内側フレームとに挟まれた領域に周縁部が差し込まれているため、平板にかかる荷重は、前記外側フレームと前記内側フレームとの面に分散され、平板の厚みを増すことなく強度を増すことができる。また、前記外側フレームと前記平板との間に密閉部材を設けているので、高い密閉性を得ることができる。
【図面の簡単な説明】
【００１２】
【図１】図１は、本発明の実施の形態であるパネルの外観を示す斜視図である。
【図２】図２は、図１に示したパネルの構成を示す断面図である。
【図３】図３は、密閉部材を用いたシール構造を示す断面図である。
【図４】図４は、密閉部材の変形例を示す図である。
【発明を実施するための形態】
【００１３】
以下、添付図面を参照してこの発明を実施するための形態について説明する。
【００１４】
図１は、本発明の実施の形態であるパネルの外観を示す斜視図である。また、図２は、図１に示したパネルの構成を示す断面図である。図１および図２に示すように、パネル１は、閉鎖配電盤などの配電盤の側板に用いられる。なお、パネル１は、側板以外に底板、天井板としても用いられ、これらをリベット止めや、ねじの締結によって閉鎖配電盤を組み立てる。
【００１５】
パネル１は、外側フレーム２１および内側フレーム２２からなるフレーム２と、外側フレーム２１と内側フレーム２２とで挟まれた領域に、周縁部が差し込まれた平板３とを有する。外側フレーム２１は、矩形であり、両側辺部２ａ，２ｂの外縁部が内側方向Ａに向けてＬ字状に折り曲げられた第１の折り曲げ部２１ａを有する。また、内側フレーム２２は、矩形であり、両側辺部２ａ，２ｂが内側方向Ａに向けてＬ字状に折り曲げられた第２の折り曲げ部２２ａを有する。そして、第２の折り曲げ部２２ａの表面が第１の折り曲げ部２１ａの裏面に密着する構成としている。なお、外側フレーム２１および内側フレーム２２は、金属部材であることが好ましい。
【００１６】
すなわち、フレーム２は、外側フレーム２１と内側フレーム２２による２重構造となっている。平板３は、内部故障によって内側に圧力上昇が生じても、フレーム２の４辺の面によって平板３にかかる荷重を分散することができる。したがって、平板３の厚みを増すことなく、パネル強度を向上させることができる。換言すれば、本実施の形態のパネル１は、所望のパネル強度を得る場合、従来のパネルに比して薄くすることができ、パネルの薄型化および軽量化を図ることができる。
【００１７】
また、外側フレーム２１と平板３との間には枠状の密閉部材３１が配置される。また、内側フレーム２２と平板３との間には枠状の密閉部材３２が配置される。密閉部材３１，３２は、例えば、弾力性のあるゴムであることが好ましい。密閉部材３１は、外側フレーム２１と平板３との隙間を埋め、密閉部材３２は、内側フレーム２２と平板３との隙間を埋める。これにより、内部故障によって発生する高温のアークガスなどの漏れを防止して高い密閉性を得ることができる。
【００１８】
なお、内部故障による圧力上昇により、平板３は外側に向けて力を受けるため、内側の密閉部材３２を削除し、外側の密閉部材３１のみを配置するようにしてもよい。
【００１９】
また、上述した実施の形態では、両側辺部２ａ，２ｂのみに第１の折り曲げ部２１ａおよび第２の折り曲げ部２２ａを形成していたが、フレーム２（外側フレーム２１および内側フレーム２２）の上辺部２ｃの外縁部および下辺部２ｄの外縁部を内側に向けてＬ字状に折り曲げた折り曲げ部を設けてもよい。また、フレーム２の４辺すべてに折り曲げ部を設けてもよい。
【００２０】
さらに、密閉部材３１，３２は、平板３の周縁部で連結された１つの密閉部材としてもよい。
【００２１】
また、図３に示すように、密閉部材３１，３２の一部が挿入される凹部３１ａ，３２ａをそれぞれ外側フレーム２１の平板３側および内側フレーム２２の平板３側に設け、差圧によって密閉されるシール構造としてもよい。凹部３１ａ，３２ａは平板３側に設けてもよいし、それぞれ、外側フレーム２１および平板３の双方、および内側フレーム２２および平板３側の双方に設けてもよい。
【００２２】
さらに、図４に示すように、密閉部材３１は、圧力付加方向に対して斜めに分断する分断部３１ｂを設けてもよい。密閉部材３２も同様に分断部３１ｂを設けてもよい。この場合、密閉部材３１，３２は、圧力付加方向に対して拡大／縮小する。
【符号の説明】
【００２３】
１  パネル
２  フレーム
２ａ，２ｂ  側辺部
２ｃ  上辺部
２ｄ  下辺部
３  平板
２１  外側フレーム
２１ａ  第１の折り曲げ部
２２  内側フレーム
２２ａ  第２の折り曲げ部
３１，３２  密閉部材
３１ａ，３２ａ  凹部
３１ｂ  分断部
【図１】
2017108548.tif 000003
【図２】
2017108548.tif 000004
【図３】
2017108548.tif 000005
【図４】
2017108548.tif 000006